(57)【特許請求の範囲】
【請求項１】
ビニールハウスの谷直管パイプに固定されたハウスバンドを、締める動作と緩める動作とを行うハウスバンド締め緩め装置であって、一方の開口端側が谷直管パイプに差し込まれる直管パイプと、前記直管パイプの１か所の周方向に等間隔に設けられた歯車状棒と、棒状のピンと、前記ピンに対して垂直に立ち上がり谷直管パイプを抱き込む径を有して湾曲した形状のピン支持フックと、前記ピンの中央部から水平方向に延びて谷金具を抱き込む形状の鍵状フックとを備え、ピン支持フックを谷直管パイプにかけることにより、ピンと鍵状フックとが谷直管パイプの長手方向に水平移動が可能となり、ピンの移動により歯車状棒の固定と回転とを自在に切り替え、歯車状棒の回転に連動して谷直管パイプが回転し、谷直管パイプに固定されたハウスバンドを締める動作と緩める動作とを行うことを特徴とするハウスバンド締め緩め装置。
【請求項２】
前記歯車状棒を回転させてハウスバンドを絞った状態において、前記歯車状棒を前記ピンに接触させ、前記鍵状フックを前記谷金具に掛ける構成による谷直管パイプ逆回転防止手段を備えていることを特徴とする請求項１記載のハウスバンド締め緩め装置。
【請求項３】
前記直管パイプの他方の開口端側が、他の谷直管パイプに差し込まれて、ビニールハウスの中間部に設置されることを特徴とする請求項１から２のいずれかに記載のハウスバンド締め緩め装置。
【発明の詳細な説明】
【技術分野】
【０００１】  本発明は、ビニールハウスにおいて、ビニールを固定するハウスバンドを確実に取り付け、また簡単に取り外しができるようにした金具に関するものである。
【背景技術】
【０００２】  通常ビニールハウスは、アーチパイプが５０ｃｍ間隔で組まれて、その上にビニールを被せてハウスバンドで絞込み押さえて、ハウスバンドは谷直管パイプに結び取り付けられる。【０００３】  このとき、ビニールに緩みやだぶりが出ないように、また風に飛ばされないように、ハウスバンドは強固に縛り付ける。【０００４】  一般的にビニールハウスは、外気とハウス内空気をビニールによって遮断することで、ハウス内の温度を温かく保つことができるので、外気が下がる冬場はビニールで覆う作業が必要になり、外気が上がる夏場は逆にビニールを剥がす作業が必要となる。【０００５】  このビニールを被せるもしくは剥がすという作業においては、ハウスバンドをほどき外して、ビニールを被せるもしくは剥がすを行い、ハウスバンドでまた縛るという作業が必要となる。ハウスバンド固定具に関する技術の一例が特許文献１に記載されている。
【先行技術文献】
【特許文献】
【０００６】
【特許文献１】特開平０９−０５６２６５号公報
【発明の概要】
【発明が解決しようとする課題】
【０００７】  ところがハウスバンドの取り外しは、例えば３連棟４０ｍハウスの場合、ハウスバンドが２４０本ありその両端のほどきとなるので４８０箇所において、強固に縛られた結び目のほどき作業となり、かなりの時間と労力がかかる。【０００８】  さらにビニール設置完了後のハウスバンドによる絞込みのために、ハウスバンドをまた結び付けるのも時間と労力がかかる。
このように、連棟ビニールハウスのビニールを被せるもしくは剥がすために、ビニールを押さえているハウスバンドを一本ずつ締めたりもしくは緩めたりする作業は、これまで多大な時間と労力を要してきた。また近年の気象状況をみると、局部的に突風が吹き荒れる現象が見られる。このような急な強風に対して従来のやり方では対策が間に合わず、ハウス自体がつぶれてしまう事がある。また強風の中でビニールを剥ぐという作業は人手が多く必要となり、危険を伴う作業となる。【０００９】  本発明は、このような問題点を解決するためになされたもので、ハウスバンドを谷直管パイプに容易に短時間で取り付けることができ、また回転する谷直管パイプに対してもバンドがゆるんで空回りすることがないハウスバンド固定金具を提供するとともに、ハウスバンドを容易に短時間で締めたり緩めたりすることができ、ビニールを被せるもしくは剥がす（巻き上げる）という作業を非常に短時間で行うことが可能なハウスバンド締め緩め装置を提供することを目的とする。
【課題を解決するための手段】
【００１０】  以上の課題を解決するために、本発明のハウスバンド固定金具は、ビニールハウスの谷直管パイプにハウスバンドを固定するハウスバンド固定金具であって、円弧状に形成された２つの円形部と、前記円形部の一方の端部を連結するハウスバンド止め部と、前記円形部の他方の端部に設けられたフック部を有し、前記フック部は谷直管パイプに設けられた穴に差し込まれるものであり、谷直管パイプに取り付けた時に、前記円形部の長さが谷直管パイプの円周の半分より長くなっていることを特徴とする。【００１１】  また、本発明のハウスバンド締め緩め装置は、ビニールハウスの谷直管パイプに固定されるハウスバンドを締める動作と緩める動作とを行うハウスバンド締め緩め装置であって、一方の開口端側が谷直管パイプに差し込まれる直管パイプと、前記直管パイプの１か所の周方向に等間隔に設けられた歯車状棒と、棒状のピンと、前記ピンに対して垂直に立ち上がり谷直管パイプを抱き込む径を有して湾曲した形状のピン支持フックと、前記ピンの中央部から水平方向に延びて谷金具を抱き込む形状の鍵状フックとを備え、ピン支持フックを谷直管パイプにかけることにより、ピンと鍵状フックとが谷直管パイプの長手方向に水平移動可能であり、ピンの移動により歯車状棒の固定と回転自在とを切り替え、歯車状棒の回転に連動して谷直管パイプが回転し、谷直管パイプに固定されたハウスバンドを締める動作と緩める動作とを行うことを特徴とする。【００１２】  本発明のハウスバンド締め緩め装置においては、前記歯車状棒を回転させてハウスバンドを絞った状態において、前記歯車状棒を前記ピンに接触させ、前記鍵状フックを前記谷金具に掛ける構成による谷直管パイプ逆回転防止手段を備えている構造とすることができる。
【発明の効果】
【００１３】  ハウスバンド固定金具を使用することで、ハウスバンドを谷直管パイプに容易に短時間で取り付けることができ、また回転する谷直管パイプに対してもバンドがゆるんで空回りすることがない。【００１４】  ハウスバンド締め緩め装置を使用することで、ハウスバンドを容易に短時間でしめたりゆるめたりすることができ、ビニールを被せるもしくは剥がす（巻き上げる）という作業が非常に短時間で行うことが可能となる。またハウスバンドを固定した谷直管パイプは、ハウスバンド締め緩め装置により自在に回すことができ、１棟のハウスバンド全てを同時に締めたり緩めたりすることができる。
【図面の簡単な説明】
【００１５】
【図１】従来のハウスバンドの止め方を示した図
【図２】従来のハウスバンドの止め方を示した斜視図
【図３】本発明であるハウスバンド固定金具の斜視図
【図４】本発明であるハウスバンド固定金具を谷直管パイプに取り付けた断面図
【図５】Ａは本発明であるハウスバンド固定金具を谷直管パイプに取り付け、ハウスバンドを通した状態の図、Ｂはハウスバンドを２周巻きつけた状態の図
【図６】本発明であるハウスバンド締め緩め装置を構成する歯車状棒の斜視図
【図７】本発明であるハウスバンド締め緩め装置を構成するピンの斜視図
【図８】本発明であるハウスバンド締め緩め装置で、谷直管パイプを可動または固定させる際の説明図
【図９】本発明であるハウスバンド締め緩め装置で、歯車状棒を回転させる説明図
【図１０】本発明であるハウスバンド固定金具及びハウスバンド締め緩め装置を使用して、ハウスバンドを絞り込み固定した全体斜視図
【図１１】同正面図
【図１２】ハウスバンド締め緩め装置及び谷金具の正面拡大図
【図１３】本発明であるハウスバンド締め緩め装置を谷直管パイプ中間部に取り付けた斜視図
【図１４】３連棟ビニールハウスを真上から見た図で、ハウス先端部と中間部の谷直管パイプに、本発明であるハウスバンド締め緩め装置を取り付けた図
【発明を実施するための形態】
【００１６】  本発明であるハウスバンド固定金具及びハウスバンド締め緩め装置は、ビニールハウスにおけるビニールを被せるもしくは剥がすという作業では、ハウスバンドを完全に外さなくてもその作業を行うことができるというものである。
【００１７】  従って、これまで例えば４８０本のハウスバンドを外し、また結ぶという作業だけでも約半日を要していたのに対して、この発明を用いることで約１０分で作業を完了させることができる。
【００１８】  季節の変化、即ち外気温の変化に合わせてビニールを被せるもしくは剥がすという作業は重要な作業であるが、それ以外にも南西諸島などの台風災害の多い地域でも、同作業はビニールハウスを守るという観点から非常に重要である。
【００１９】  台風災害の多い地域におけるビニールハウスは、台風の多い時期でもその栽培品目によってはビニールを被せる必要がある。
【００２０】  台風が来ることが分かれば、すぐさまビニールを剥がし台風の通過を待ち、通過後は雨をしのぐためにビニールをすぐ被せる、ということを行わなければならない。
【００２１】  従ってビニールを被せるもしくは剥がすという作業において、ハウスバンドを取り外さずに短時間で緩めるもしくは絞るということができるというのは、非常に重要なことである。
【実施例】
【００２２】  図１はビニールハウスにおいて、ビニール２をハウスバンド１で抑え込み、ハウスバンド１の両端を谷直管パイプ３に固く結び付けるという、従来行われてきたハウスバンド固定法の図で、図２はその斜視図である。【００２３】  従来法は、ビニールを被せるもしくは剥がすという場合において、谷直管パイプに結び付けられたハウスバンドをほどくときに、長い時間と多くの労力を必要とする。【００２４】  図３はハウスバンド固定金具で、直径約１ｍｍの鋼鉄製針金からなり、フック部４、円形部５、ハウスバンド止め部６から構成される。【００２５】  図４はハウスバンド固定金具を谷直管パイプ３に取り付けた状況であるが。ハウスバンド固定金具は、円弧状に形成された２つの円形部５と、円形部５の一方の端部を連結するハウスバンド止め部６と、円形部５の他方の端部に設けられたフック部４を有し、フック部４は谷直管パイプに設けられた穴に差し込まれるものであり、谷直管パイプに取り付けた時に、円形部５の長さが谷直管の円周の半分より長くなっている。フック部４は、谷直管パイプにあらかじめ空けた穴に差し込むことができ、ハウスバンド固定金具を固定することができる。【００２６】  円形部５の長さは、谷直管パイプ３の円周の半分より長くしているため、ハウスバンド固定金具が谷直管パイプ３を抱き込むことになり、しっかりと固定される。【００２７】  図５のＡはハウスバンド固定金具のハウスバンド止め部６に、ハウスバンド５ｃｍくらいを通して引っ掛けた状況である。【００２８】  図５のＢはハウスバンド固定金具にハウスバンドを通して、２回程度巻きつけた状況であるが、図５のＡで示したように５ｃｍ分通してから２回程度巻き付けて抑え込んでいるので、ハウスバンドがゆるんで外れることはなく、従来の結び付けるのに対して簡単に確実にハウスバンドを取り付けることができ、また２回程度巻きつけた分だけ緩めしろとなり緩めることができる。【００２９】  図６はハウスバンド締め緩め装置の一部で、直管パイプ７に歯車状棒８を取り付けた金具であるが、直管パイプ７は谷直管パイプより少し径が小さくて谷直管パイプに差し込めるようになっている。【００３０】  歯車状棒８は直径約１ｃｍ長さ約５ｃｍの鉄の棒で、直管パイプ７の周囲を等間隔に配置されている。【００３１】  図７はハウスバンド締め緩め装置の一部で、ピン９は直径約１ｃｍの鉄の棒からなり、ピン支持フック１０はピン９に対して垂直に立ち上がり、谷直管パイプを抱き込む径を有して湾曲しており、鍵状フック１１はピン９中央部から水平方向に立ち上がり、谷金具１３を抱き込む形状になっている。【００３２】  図８はハウスバンド締め緩め装置を、連棟ビニールハウスの谷先端部に取り付けた状況である。【００３３】  谷直管パイプ３に歯車状棒８を取り付けた直管パイプ７を差し込み、鉄鋼ビス１２で固定しているので、歯車状棒８を回転させると谷直管パイプ３も連動して回転する。【００３４】  ピン支持フック１０を谷直管パイプ３にかけることで、ピン９及び鍵状フック１１の水平移動が自由にでき、方向１５にピン９を動かすと歯車状棒８を固定することができ、方向１４にピン９を動かすと歯車状棒８が自由に回転できる。【００３５】  ��車状棒８を固定するときは、ピン９を方向１５に差し込むが、同時に鍵状フック１１を谷金具１３にかけることで、ピン９を固定するので歯車状棒８の逆回転を防ぐことができる。【００３６】  図９はピン９を方向１４に水平移動させ、歯車状棒８を自由に回転させる状態にした図であるが、歯車状棒８に軽く差し込める回転補助パイプ１７を使用することで、歯車状棒８は容易に回転させることができ、それに連動して谷直管パイプ３も回転させることができ、ハウスバンドを締めるもしくは緩めるが容易に行うことができる。【００３７】  図１０は本発明であるハウスバンド固定金具及びハウスバンド締め緩め装置を使用して、ハウスバンドを絞った全体図であるが、谷直管パイプ３ａにハウスバンド固定金具１５及びハウスバンド締め緩め装置１６を取り付けている。【００３８】  谷直管パイプ３ｂは回転させる必要がないので、ハウスバンド端部１４を固く結び付けている。【００３９】  ハウスバンド締め緩め装置１６を回転させることで、ハウスバンドを締めることも緩めることも自由に行うことができ、ビニールを被せるもしくは剥がすという作業が短時間・少労力で行うことができる。【００４０】  図１１は図１０全体図の正面図である。【００４１】  図１２はハウスバンド締め緩め装置及び谷金具の正面拡大図であるが、歯車状棒８を回転させハウスバンド１を絞り、歯車状棒８にピン９を掛けて鍵状フック１１を谷金具に掛けることで、逆回転を防ぎ絞りが緩まないよう固定している。
このように、歯車状棒８を回転させてハウスバンド１を絞った状態において、歯車状棒８をピン９に接触させ、鍵状フック１１を谷金具１３に掛ける構成は、谷直管パイプ３の逆回転防止手段として機能する。【００４２】  図１３は歯車状棒８を取り付けた直管パイプ７を谷直管パイプ３ａに取り付けて、谷直管パイプ３ａとは逆側に谷直管パイプ３ｂを差し込んだ状態である。【００４３】  この時、谷直管パイプ３ｂは直管パイプ７とは固定してないので、歯車状棒８が回転しても谷直管パイプ３ｂは回転しない。【００４４】  図１３はハウスバンド締め緩め装置を、谷直管パイプの中間に取り付けることができる方法で、棟の短いビニールハウスにおいてハウスバンド締め緩め装置はビニールハウスの先端部に取り付けるが、延長４０ｍを越えるような棟の長いビニールハウスの場合、先端部だけのハウスバンド締め緩め装置ですべてのハウスバンドを均等に絞ることが難しくなるため、中間部にハウスバンド締め緩め装置を付けハウスバンドを前半と後半に分割することで、均等にハウスバンドを絞ることができる。【００４５】  図１４は３連棟のビニールハウスを真上から見た図で、例えば下の棟Ｃのハウスバンドを絞る際には、先端部のハウスバンド締め緩め装置１６ａを使って谷直管パイプ３ａを回転させて前半分のハウスバンド１ａを絞り込む。【００４６】  次に中間部のハウスバンド締め緩め装置１６ｂを使って、谷直管パイプ３ｂを回転させて後ろ半分のハウスバンド１ｂを絞り込むことで、Ｃ棟はハウスバンド全体を無理なく絞り込むことができる。【００４７】  このように、直管パイプ７の他方の開口端側が、他の谷直管パイプに差し込まれて、ビニールハウスの中間部にハウスバンド締め緩め装置を設置することにより、長いビニールハウスの場合であっても、均等にハウスバンドを絞ることができる。なお、図１４においては、ビニールハウスの中間位置にハウスバンド締め緩め装置を１つ配置した状況を示しているが、ビニールハウスの長さに応じてその途中にハウスバンド締め緩め装置を複数配置してもよい。
【産業上の利用可能性】
【００４８】  本発明は、ハウスバンドを谷直管パイプに容易に短時間で取り付けることができ、また回転する谷直管パイプに対してもバンドが緩んで空回りすることがないハウスバンド固定金具として利用することができる。
また本発明は、ハウスバンドを容易に短時間で締めたり緩めたりすることができ、ビニールを被せるもしくは剥がす（巻き上げる）という作業を非常に短時間で行うことが可能なハウスバンド締め緩め装置として利用することができる。
【符号の説明】
【００４９】１  ハウスバンド
２  ビニール
３  谷直管パイプ
４  フック部
５  円形部
６  ハウスバンド止め部
７  直管パイプ
８  歯車状棒
９  ピン
１０  ピン支持フック
１１  鍵状フック
１２  鉄鋼ビス
１３  谷金具
１４  引き抜き方向
１５  差し込み方向
１６  ハウスバンド締め緩め装置
１７  回転補助パイプ
【要約】
【課題】  ハウスバンドを容易に短時間で締めたり緩めたりすることができるハウスバンド締め緩め装置を提供する。
【解決手段】  ハウスバンド締め緩め装置は、一方の開口端側が谷直管パイプ３に差し込まれる直管パイプ７と、直管パイプ７の１か所の周方向に等間隔に設けられた歯車状棒８と、棒状のピン９と、ピン９に対して垂直に立ち上がり谷直管パイプ３を抱き込む径を有して湾曲した形状のピン支持フック１０と、ピン９の中央部から水平方向に延びて谷金具１３を抱き込む形状の鍵状フック１１とを備え、ピン支持フック１０を谷直管パイプ３にかけることにより、ピン９と鍵状フック１１とが谷直管パイプ３の長手方向に水平移動可能であり、ピン９の移動により歯車状棒８の固定と回転自在とを切り替え、歯車状棒８の回転に連動して谷直管パイプ３が回転し、谷直管パイプ３に固定されたハウスバンドを締める動作と緩める動作とを行う。
【選択図】図８【図１】
0005822084.tif 000002
【図２】
0005822084.tif 000003
【図３】
0005822084.tif 000004
【図４】
0005822084.tif 000005
【図５】
0005822084.tif 000006
【図６】
0005822084.tif 000007
【図７】
0005822084.tif 000008
【図８】
0005822084.tif 000009
【図９】
0005822084.tif 000010
【図１０】
0005822084.tif 000011
【図１１】
0005822084.tif 000012
【図１２】
0005822084.tif 000013
【図１３】
0005822084.tif 000014
【図１４】
0005822084.tif 000015